【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
（ｉ）二酸残基の総モルに基づき、少なくとも８０モル％のテレフタル酸、ナフタレンジカルボン酸、１，４−シクロヘキサンジカルボン酸又はイソフタル酸の１種又はそれ以上の残基を含む二酸残基；並びに
（ｉｉ）ジオール残基の総モルに基づき、２５〜７０モル％の１，４−シクロヘキサンジメタノール残基及び、ジオール残基の総モルに基づき、７５〜３０モル％の１，３−プロパンジオール残基を含むジオール残基
を含んでなるポリエステル組成物。
【請求項２】
（ｉ）二酸残基の総モルに基づき、少なくとも８０モル％のテレフタル酸残基を含む二酸残基；並びに
（ｉｉ）ジオール残基の総モルに基づき、３０〜７０モル％の１，４−シクロヘキサンジメタノール残基及び、ジオール残基の総モルに基づき、７０〜３０モル％の１，３−プロパンジオール残基を含むジオール残基
を含んでなるポリエステル組成物。
【請求項３】
（ｉ）二酸残基の総モルに基づき、少なくとも８０モル％のテレフタル酸残基を含む二酸残基；並びに
（ｉｉ）ジオール残基の総モルに基づき、４０〜６０モル％の１，４−シクロヘキサンジメタノール残基及び、ジオール残基の総モルに基づき、６０〜４０モル％の１，３−プロパンジオール残基を含むジオール残基
を含む、請求項１又は２に記載のポリエステル組成物。
【請求項４】
（ｉ）テレフタル酸、ナフタレンジカルボン酸及びイソフタル酸を含む芳香族二酸残基の総モルに基づき、少なくとも９０モル％含む二酸残基；並びに
（ｉｉ）ジオール残基の総モルに基づき、４５〜５５モル％の１，４−シクロヘキサンジメタノール残基及び、ジオール残基の総モルに基づき、５５〜４５モル％の１，３−プロパンジオール残基を含むジオール残基
を含む請求項３に記載のポリエステル組成物。
【請求項５】
（ｉ）二酸残基の総モルに基づき、少なくとも９０モル％のテレフタル酸残基を含む二酸残基；並びに
（ｉｉ）ジオール残基の総モルに基づき、４５〜５５モル％の１，４−シクロヘキサンジメタノール残基及び、ジオール残基の総モルに基づき、５５〜４５モル％の１，３−プロパンジオール残基を含むジオール残基
を含む請求項４に記載のポリエステル組成物。
【請求項６】
前記ジオール残基がエチレングリコール、１，２−プロパンジオール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ及びポリアルキレングリコールから選ばれた１種又はそれ以上のジオールを０〜６０モル％含む請求項１、２又は３に記載のポリエステル組成物。
【請求項７】
前記ジオール残基がエチレングリコールを含む請求項６に記載のポリエステル組成物。
【請求項８】
前記ジオール残基が０．１〜４５モル％のエチレングリコール残基を含む請求項１又は３に記載のポリエステル組成物。
【請求項９】
ポリエステルの総重量に基づき、０．０１〜１０．０重量％を構成する１種又はそれ以上の分岐剤を含む請求項１、２又は３に記載のポリエステル組成物。
【請求項１０】
ポリエステルの総重量に基づき、０．０５〜５重量％を構成する１種又はそれ以上の分岐剤を含む請求項９に記載のポリエステル組成物。
【請求項１１】
前記分岐モノマー残基が、前記ポリエステルの総重量に基づき、０．０１〜１重量％の３個又はそれ以上のカルボキシル置換基、ヒドロキシル置換基又はそれらの組合せを有する１種又はそれ以上のモノマーを含む請求項１０に記載のポリエステル組成物。
【請求項１２】
前記分岐モノマー残基がトリメリット酸無水物、ピロメリット酸二無水物、グリセロール、ソルビトール、１，２，６−ヘキサントリオール、ペンタエリスリトール、トリメチロールエタン又はトリメシン酸の１種又はそれ以上の残基を０．１〜０．７モル％含む請求項１１に記載のポリエステル組成物。
【請求項１３】
１種又はそれ以上の可塑剤を含む請求項１、２又は３に記載のポリエステル組成物。
【請求項１４】
前記ポリエステル組成物の総重量に基づき、５〜４０重量％の難燃剤を含む請求項１、２又は３に記載のポリエステル組成物。
【請求項１５】
リン系化合物からなる群から選ばれた１種又は難燃剤を含む請求項１４に記載のポリエステル組成物。
【請求項１６】
１種又はそれ以上のリン酸のモノエステル、ジエステル又はトリエステルを含む請求項１５に記載のポリエステル組成物。
【請求項１７】
前記ポリエステルが非晶質である請求項１又は２に記載のポリエステル組成物。
【請求項１８】
前記ポリエステルが０．４〜１．４ｄＬ／ｇのインヘレント粘度を有する請求項１、２又は３に記載のポリエステル組成物。
【請求項１９】
前記ポリエステルが、ＡＳＴＭ法２５６によって１／８インチの成形バーを用いて測定した場合に、０°において１５ｆｔ−ｌｂ／インチのノッチ付きアイゾッド衝撃強さ値を有する請求項１、２又は３に記載のポリエステル組成物。
【請求項２０】
（ｉ）二酸残基の総モルに基づき、少なくとも８０モル％のテレフタル酸、ナフタレンジカルボン酸、１，４−シクロヘキサンジカルボン酸又はイソフタル酸の１種又はそれ以上の残基を含む二酸残基；並びに
（ｉｉ）ジオール残基の総モルに基づき、２５〜７０モル％の１，４−シクロヘキサンジメタノール残基及び、ジオール残基の総モルに基づき、７５〜３０モル％の１，３−プロパンジオール残基を含むジオール残基
を含むポリエステル組成物を押出又はカレンダー成形する工程を含んでなるフィルム又はシートの製造方法。
【請求項２１】
（ｉ）二酸残基の総モルに基づき、少なくとも８０モル％のテレフタル酸、ナフタレンジカルボン酸、１，４−シクロヘキサンジカルボン酸又はイソフタル酸の１種又はそれ以上の残基を含む二酸残基；並びに
（ｉｉ）ジオール残基の総モルに基づき、３０〜７０モル％の１，４−シクロヘキサンジメタノール残基及びジオール残基の総モルに基づき７０〜３０モル％の１，３−プロパンジオール残基を含むジオール残基
を更に含むポリエステル組成物を含んでなるフィルム又はシート。
【請求項２２】
（ｉ）二酸残基の総モルに基づき、少なくとも８０モル％のテレフタル酸残基を含む二酸残基；並びに
（ｉｉ）ジオール残基の総モルに基づき、４０〜６０モル％の１，４−シクロヘキサンジメタノール残基及び、ジオール残基の総モルに基づき、６０〜４０モル％の１，３−プロパンジオール残基を含むジオール残基
を更に含むポリエステル組成物を含んでなるフィルム又はシート。
【請求項２３】
（ｉ）テレフタル酸、ナフタレンジカルボン酸及びイソフタル酸を含む芳香族二酸残基の総モルに基づき、少なくとも９０モル％含む二酸残基；並びに
（ｉｉ）ジオール残基の総モルに基づき、４５〜５５モル％の１，４−シクロヘキサンジメタノール残基及び、ジオール残基の総モルに基づき、５５〜４５モル％の１，３−プロパンジオール残基を含むジオール残基
を含む請求項２１又は２２に記載のフィルム又はシート。
【請求項２４】
（ｉ）二酸残基の総モルに基づき、少なくとも９０モル％のテレフタル酸残基を含む二酸残基；並びに
（ｉｉ）ジオール残基の総モルに基づき、４５〜５５モル％の１，４−シクロヘキサンジメタノール残基及び、ジオール残基の総モルに基づき、５５〜４５モル％の１，３−プロパンジオール残基を含むジオール残基
を含む請求項２３に記載のフィルム又はシート。
【請求項２５】
前記ジオール残基がエチレングリコール、１，２−プロパンジオール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ及びポリアルキレングリコールから選ばれた１種又はそれ以上のジオールを０〜４５モル％含む請求項２１又は２２に記載のフィルム又はシート。
【請求項２６】
前記ジオール残基がエチレングリコールを含む請求項２５に記載のフィルム又はシート。
【請求項２７】
前記ジオール残基が０．１〜４５モル％のエチレングリコールを含む請求項２６に記載のフィルム又はシート。
【請求項２８】
ポリエステルの総重量に基づき、０．０１〜１０．０重量％を構成する１種又はそれ以上の分岐剤を更に含む請求項２１又は２２に記載のポリエステル組成物を含むフィルム又はシート。